(57)【特許請求の範囲】
【請求項１】
インターネット上の情報にアクセスすることが可能な端末装置と通信可能に構成され、該端末装置がアクセスすべき情報を選択するためのメニューを提供するメニュー提供装置であって、
所望の対象物を認識可能とする対象物情報を受信する対象物情報受信手段と、
前記対象物情報受信手段が受信した対象物情報に基づいて、前記所望の対象物を認識する対象物認識手段と、
前記対象物認識手段による対象物の認識結果に基づいて、前記端末装置においてアクセスすべき情報を選択するためのメニューを生成するメニュー生成手段と、
前記メニュー生成手段が生成したメニューを、前記端末装置に送信するメニュー送信手段と
を備え、
前記メニュー生成手段は、
対象物と各対象物に関して生成されるべき予め設計された階層構造を有し、ユーザの操作に応じて順次下位層に選択を進め、前記アクセスすべき情報を選択できるように設計された第１のメニューの原型となるメニュー情報とを関連づけて予め記憶するメニュー記憶手段と、
前記対象物認識手段によって認識された対象物に関連づけられているメニュー情報が前記メニュー記憶手段に予め記憶されているか否かを判別する判別手段と、
前記判別手段がメニュー情報が予め記憶されていると判別した場合に、認識された対象物に関連づけられて前記メニュー記憶手段に記憶されているメニュー情報に基づいて、前記端末装置に提供する第１のメニューを生成する第１のメニュー生成手段と、
前記判別手段がメニュー情報が予め記憶されていないと判別した場合に、認識結果に基づいて検索式を生成する検索式生成手段と、
前記検索式生成手段が生成した検索式に従って、サーチエンジンから検索結果として、前記端末装置がアクセスすることが可能な情報のアドレスを得るアドレス取得手段と、
前記アドレス取得手段が取得したアドレスのうちから選択したアドレスに基づいて、前記端末装置に有用なアドレスがグループ分けされた第２のメニューを生成する第２のメニュー生成手段と、
を備える、
ことを特徴とするメニュー提供装置。
【請求項２】
前記第１のメニュー生成手段は、前記対象物認識手段によって認識された対象物に関連づけられて前記メニュー記憶手段に記憶されているメニュー情報が複数ある場合には、これら複数のメニュー情報を結びつけた第１のメニューを、前記端末装置に提供するメニューとして生成する
ことを特徴とする請求項１に記載のメニュー提供装置。
【請求項３】
前記メニュー生成手段は、前記対象物認識手段の認識結果に基づいて得られる第１または第２のメニューを、さらに所定の情報を用いてカスタマイズする手段を有する
ことを特徴とする請求項１または２に記載のメニュー提供装置。
【請求項４】
前記メニュー生成手段は、前記端末装置の利用者のプロファイルに基づいて、第１または第２のメニューをカスタマイズする
ことを特徴とする請求項３に記載のメニュー提供装置。
【請求項５】
前記メニュー生成手段は、前記端末装置の利用者による、このメニュー提供装置の利用の履歴に基づいて、第１または第２のメニューをカスタマイズする
ことを特徴とする請求項３または４に記載のメニュー提供装置。
【請求項６】
前記メニュー生成手段は、メニュー生成時の時間に関する情報に基づいて、第１または第２のメニューをカスタマイズする
ことを特徴とする請求項３乃至５のいずれか１項に記載のメニュー提供装置。
【請求項７】
前記メニュー生成手段は、前記端末装置が存在する場所に関する情報に基づいて、第１または第２のメニューをカスタマイズする
ことを特徴とする請求項３乃至６のいずれか１項に記載のメニュー提供装置。
【請求項８】
前記対象物情報受信手段は、対応する対象物の画像を受信する画像受信手段によって構成され、
前記対象物認識手段は、前記対象物の画像を画像認識する画像認識手段によって構成される
ことを特徴とする請求項１乃至７のいずれか１項に記載のメニュー提供装置。
【請求項９】
前記画像受信手段は、複数の画像を受信可能であり、
前記画像認識手段は、前記画像受信手段が複数の画像を受信した場合には、それぞれ画像認識し、
前記メニュー生成手段は、前記画像認識手段による複数の画像の認識結果に基づいて、第１または第２のメニューを生成する
ことを特徴とする請求項８に記載のメニュー提供装置。
【請求項１０】
前記画像受信手段が受信する複数の画像は、他の画像と異なる対象物を撮影した画像を含むものであり、
前記メニュー生成手段は、前記画像認識手段による画像の認識結果に基づいた条件式を生成し、該条件式に基づいて第１または第２のメニューを生成する
ことを特徴とする請求項９に記載のメニュー提供装置。
【請求項１１】
前記対象物情報受信手段は、前記端末装置が前記対象物から無線通信により取得した該対象物の識別情報を受信するものであり、
前記対象物認識手段は、前記対象物情報受信手段が受信した識別情報に基づいて、前記所定の対象物を認識する
ことを特徴とする請求項１乃至７のいずれか１項に記載のメニュー提供装置。
【請求項１２】
前記対象物情報受信手段は、前記端末装置が前記対象物から無線通信により取得した該対象物の状態に関する情報をさらに受信するものであり、
前記対象物認識手段は、前記対象物受信手段が受信した識別情報及び状態に関する情報に基づいて、前記所定の対象物を特定の状態のものに限定して認識する
ことを特徴とする請求項１１に記載のメニュー提供装置。
【請求項１３】
前記第１のメニュー生成手段が生成した第１のメニューに含まれる機能を前記端末装置において実行するのに必要なプログラムを、前記端末装置に送信するプログラム送信手段をさらに備える
ことを特徴とする請求項１乃至１２のいずれか１項に記載のメニュー提供装置
【請求項１４】
インターネット上の情報にアクセスすることが可能な端末装置と通信可能に構成されたコンピュータ装置を、
所望の対象物を認識可能とする対象物情報を受信する対象物情報受信手段と、
前記対象物情報受信手段が受信した対象物情報に基づいて、前記所望の対象物を認識する対象物認識手段と、
前記対象物認識手段による対象物の認識結果に基づいて、前記端末装置においてアクセスすべき情報を選択するためのメニューを生成するメニュー生成手段と、
前記メニュー生成手段が生成したメニューを、前記端末装置に送信するメニュー送信手段と、
して機能させ、
前記メニュー生成手段は、
対象物と各対象物に関して生成されるべき予め設計された階層構造を有し、ユーザの操作に応じて順次下位層に選択を進め、前記アクセスすべき情報を選択できるように設計された第１のメニューの原型となるメニュー情報とを関連づけて予め記憶するメニュー記憶手段と、
前記対象物認識手段によって認識された対象物に関連づけられているメニュー情報が前記メニュー記憶手段に予め記憶されているか否かを判別する判別手段と、
前記判別手段がメニュー情報が予め記憶されていると判別した場合に、前記対象物認識手段によって認識された対象物と関連づけられて前記メニュー記憶手段に記憶されているメニュー情報に基づいて、前記端末装置に提供する第１のメニューを生成する第１のメニュー生成手段と、
前記判別手段がメニュー情報が記憶されていないと判別した場合に、前記対象物認識手段の認識結果に基づいて、キーワードによる検索式を生成する検索式生成手段と、
前記検索式生成手段が生成した検索式に従って、サーチエンジンから検索結果として、前記端末装置がアクセスすることが可能な情報のアドレスを得るアドレス取得手段と、
前記アドレス取得手段が取得したアドレスのうちから選択したアドレスに基づいて、前記端末装置に有用なアドレスがグループ分けされた第２のメニューを生成する第２のメニュー生成手段と、
として機能する
ことを特徴とするプログラム。
【発明の詳細な説明】
【０００１】
本発明は、特定または不特定の物に対する所望の情報を利用者が取り出すためのメニューを提供する装置等に関する。
【０００２】
【従来の技術】
近年、インターネット上のホームページで様々な情報が提供されている。パーソナルコンピュータなどの端末装置からこれらのホームページにアクセスし、利用者が所望の情報を取り出すためには、取り出した情報を提供しているホームページのアドレス（ＵＲＬ）を入力するのが一般的な方法である。
【０００３】
しかしながら、この方法では、ホームページの開設者（情報の提供者）が、アドレスを別の方法で利用者に提供しなければならない。また、利用者も提供されたアドレスを管理しなければならないが、インターネット上のホームページの数は無数にあり、適切にアドレスを管理するのは容易なことではない。
【０００４】
また、従来から一般に各ホームページにアクセスし、情報を取り出すための方法として、まず、利用者はサーチエンジンと呼ばれるサイトにアクセスし、そこからリンクの貼られた各ホームページにジャンプする方法がある。利用者がこのサーチエンジンを利用して所望のホームページを検索する場合、カテゴリーを追っていったり、検索キーワードを入力したりする。
【０００５】
しかしながら、利用者が所望する情報がどのようなカテゴリーに属するのかが分からない場合も多い。また、検索キーワードを利用してホームページを検索する場合、検索キーワードが曖昧であると索出されるホームページ数が膨大になりすぎるので、その中から利用者が所望のホームページを見つけだすのが困難になってしまう。一方、検索キーワードを絞り込みすぎると、本来的に利用者が所望する情報を提供しているホームページが、検索漏れしてしまうこともある。
【０００６】
さらに、上記のアドレスを入力する方法や検索キーワードを用いた方法では、利用者は、キーボード操作してこれらを入力しなければならない。従って、キーボード操作に不慣れな利用者は、これらの方法を用いてホームページにアクセスするのが非常に面倒に感じるという問題がある。とりわけ最近のインターネット人口の爆発的な増加に伴って、このようなキーボードに不慣れな利用者の割合が増加しているというのが現状である。
【０００７】
【発明が解決しようとする課題】
そこで、簡単な操作で誰でも、無数に存在するインターネット上のホームページの中から必要な情報を提供しているホームページに選択的にアクセスし、そこから情報を取り出せるようにすることが、ここ最近の重要な技術的課題となっている。
【０００８】
本発明は、インターネット上に存在する特定または不特定の物に対する所望の情報を、容易に取り出せるようにするためのメニューを利用者に提供することを目的とする。
【００１５】
【課題を解決する手段】
上記目的を達成するため、本発明の第１の観点にかかるメニュー提供装置は、
インターネット上の情報にアクセスすることが可能な端末装置と通信可能に構成され、該端末装置がアクセスすべき情報を選択するためのメニューを提供するメニュー提供装置であって、
所望の対象物を認識可能とする対象物情報を受信する対象物情報受信手段と、
前記対象物情報受信手段が受信した対象物情報に基づいて、前記所望の対象物を認識する対象物認識手段と、
前記対象物認識手段による対象物の認識結果に基づいて、前記端末装置においてアクセスすべき情報を選択するためのメニューを生成するメニュー生成手段と、
前記メニュー生成手段が生成したメニューを、前記端末装置に送信するメニュー送信手段と
を備え、
前記メニュー生成手段は、
対象物と各対象物に関して生成されるべき予め設計された階層構造を有し、ユーザの操作に応じて順次下位層に選択を進め、前記アクセスすべき情報を選択できるように設計された第１のメニューの原型となるメニュー情報とを関連づけて予め記憶するメニュー記憶手段と、
前記対象物認識手段によって認識された対象物に関連づけられているメニュー情報が前記メニュー記憶手段に予め記憶されているか否かを判別する判別手段と、
前記判別手段がメニュー情報が予め記憶されていると判別した場合に、認識された対象物に関連づけられて前記メニュー記憶手段に記憶されているメニュー情報に基づいて、前記端末装置に提供する第１のメニューを生成する第１のメニュー生成手段と、
前記判別手段がメニュー情報が予め記憶されていないと判別した場合に、認識結果に基づいて検索式を生成する検索式生成手段と、
前記検索式生成手段が生成した検索式に従って、サーチエンジンから検索結果として、前記端末装置がアクセスすることが可能な情報のアドレスを得るアドレス取得手段と、
前記アドレス取得手段が取得したアドレスのうちから選択したアドレスに基づいて、前記端末装置に有用なアドレスがグループ分けされた第２のメニューを生成する第２のメニュー生成手段と、
を備える、
ことを特徴とする。
【００１６】
上記メニュー提供装置は、端末装置からその利用者が情報を得たい対象物についての対象物情報が送られてくれば、アクセスすべき情報（例えばホームページ）を選択するためのメニューを当該端末装置に返送する。そして、端末装置の利用者は、このメニューに従って、所望の情報にアクセスすることができる。このため、誰でも簡単な操作でインターネット上の所望の情報にアクセスすることができるようなメニューを提供できる。
【００１７】
また、このメニューからインターネット上の情報へのアクセスを可能とすることで、端末装置の利用者にアドレス等の情報を管理させなくても済むようになる。さらに、情報を提供する側も、その情報を必要とする利用者を的確に誘導することができるようになる。このため、アドレス等の情報を広く知らしめるような行為をあまり行わなくても済むようになる。
【００１８】
そして、対象物に関し予め予め設計された階層構造を有し、ユーザの操作に応じて順次下位層に選択を進め、前記アクセスすべき情報を選択できるように設計された第１のメニューの原型となるメニュー情報を用意してある場合には、対象物情報を送ってきた端末に返送すべきメニューを迅速に生成することができる。また、対象物に関するメニュー情報が用意されていない場合には、検索式を生成し、サーチエンジンの検索結果として得られたアドレスのうちから、選択したアドレスに基づいて端末に有用なアドレスがグループ分けされた第２のメニューを生成する。このように検索式を生成し、サーチエンジンの検索結果として得られたアドレスに基づいて第２のメニューを生成することができるようにすることで、メニューを提供できないという場合を少なくすることができる。
【００１９】
ここで、前記対象物認識手段によって認識された対象物に関連づけられて前記メニュー記憶手段に記憶されているメニュー情報が複数ある場合には、これら複数のメニュー情報を結びつけた第１のメニューを、前記端末装置に提供するメニューとして生成するものとしてもよい。
【００２３】
上記メニュー提供装置において、
前記メニュー生成手段は、前記対象物認識手段の認識結果に基づいて得られる第１または第２のメニューを、さらに所定の情報を用いてカスタマイズする手段を有するものとしてもよい。
【００２４】
ここで、前記メニュー生成手段は、次のような情報に基づいて、第１または第２のメニューをカスタマイズするものとすることができる。
（１）前記端末装置の利用者のプロファイル
（２）前記端末装置の利用者による、このメニュー提供装置の利用の履歴
（３）メニュー生成時の時間に関する情報
（４）前記端末装置が存在する場所に関する情報
【００２５】
このようなメニューのカスタマイズを行うことで、メニューからアクセス可能とする情報の数を、利用者にとって利用のし易い適切な数に絞ることができ、また、利用者が最も必要とするであろう情報に行き着きやすくすることができる。
【００２６】
上記メニュー提供装置において、
前記対象物情報受信手段は、対応する対象物の画像を受信する画像受信手段によって構成され、
前記対象物認識手段は、前記対象物の画像を画像認識する画像認識手段によって構成されたものとすることができる。
【００２７】
ここで、前記画像受信手段は、複数の画像を受信できてもよい。この場合、
前記画像認識手段は、前記画像受信手段が複数の画像を受信した場合には、それぞれ画像認識し、
前記メニュー生成手段は、前記画像認識手段による複数の画像の認識結果に基づいて、第１または第２のメニューを生成するものとすることができる。
【００２８】
さらに、前記画像受信手段が受信する複数の画像は、他の画像と異なる対象物を撮影した画像を含むもの（一部が異なる対象物のものでも、全てが異なる対象もののいずれも可）であってもよい。この場合において、
前記メニュー生成手段は、前記画像認識手段による画像の認識結果に基づいた条件式を生成し、該条件式に基づいて第１または第２のメニューを生成するものとすることができる。
【００２９】
条件式としては、例えば、画像の認識結果から複数の対象物の名称等が得られた場合に、そのＡＮＤ条件またはＯＲ条件によるものとすることができる。これにより、利用者にとって、より利用しやすいメニューを提供することが可能となる。なお、複数の画像が全て同じ対象物のものである場合にも、当該対象物の特定がし易くなる。
【００３０】
上記メニュー提供装置において、
前記対象物情報受信手段は、前記端末装置が前記対象物から無線通信により取得した該対象物の識別情報を受信するものであってもよい。この場合、
前記対象物認識手段は、前記対象物情報受信手段が受信した識別情報に基づいて、前記所定の対象物を認識するものとすることができる。
【００３１】
ここで、前記対象物情報受信手段は、前記端末装置が前記対象物から無線通信により取得した該対象物の状態に関する情報をさらに受信するものであってもよい。この場合、
前記対象物認識手段は、前記対象物受信手段が受信した識別情報及び状態に関する情報に基づいて、前記所定の対象物を特定の状態のものに限定して認識するものとすることができる。
【００３２】
ここで、前記端末装置が前記対象物から無線通信により該対象物の識別情報（及び状態に関する情報）を受信するというのは、前記端末装置と前記対象物とがＢｌｕｅｔｏｏｔｈ技術の適用により通信可能となっている場合に、該対象物のＩＤ番号等を受信することをいう。つまり、この構成は、前記対象物に無線通信用のモジュールが埋め込まれていることが前提となっている。
【００３３】
上記メニュー提供装置は、
前記第１のメニュー生成手段が生成した第１のメニューに含まれる機能を前記端末装置において実行するのに必要なプログラムを、前記端末装置に送信するプログラム送信手段をさらに備えるものであってもよい。
【００３４】
上記目的を達成するため、本発明の第２の観点にかかるプログラムは、
インターネット上の情報にアクセスすることが可能な端末装置と通信可能に構成されたコンピュータ装置を、
所望の対象物を認識可能とする対象物情報を受信する対象物情報受信手段と、
前記対象物情報受信手段が受信した対象物情報に基づいて、前記所望の対象物を認識する対象物認識手段と、
前記対象物認識手段による対象物の認識結果に基づいて、前記端末装置においてアクセスすべき情報を選択するためのメニューを生成するメニュー生成手段と、
前記メニュー生成手段が生成したメニューを、前記端末装置に送信するメニュー送信手段と、
を備え、
前記メニュー生成手段は、
対象物と各対象物に関して生成されるべき予め設計された階層構造を有し、ユーザの操作に応じて順次下位層に選択を進め、前記アクセスすべき情報を選択できるように設計された第１のメニューの原型となるメニュー情報とを関連づけて予め記憶するメニュー記憶手段と、
前記対象物認識手段によって認識された対象物に関連づけられているメニュー情報が前記メニュー記憶手段に予め記憶されているか否かを判別する判別手段と、
前記判別手段がメニュー情報が予め記憶されていると判別した場合に、前記対象物認識手段によって認識された対象物と関連づけられて前記メニュー記憶手段に記憶されているメニュー情報に基づいて、前記端末装置に提供する第１のメニューを生成する第１のメニュー生成手段と、
前記判別手段がメニュー情報が記憶されていないと判別した場合に、前記対象物認識手段の認識結果に基づいて、キーワードによる検索式を生成する検索式生成手段と、
前記検索式生成手段が生成した検索式に従って、サーチエンジンから検索結果として、前記端末装置がアクセスすることが可能な情報のアドレスを得るアドレス取得手段と、
前記アドレス取得手段が取得したアドレスのうちから選択したアドレスに基づいて、前記端末装置に有用なアドレスがグループ分けされた第２のメニューを生成する第２のメニュー生成手段と、
として機能することを特徴とする。
【００３５】
【発明の実施の形態】
以下、添付図面を参照して、本発明の実施の形態について説明する。
【００３６】
図１は、この実施の形態にかかるメニュー提供システムの構成を示す図である。図示するように、このメニュー提供システムは、インターネット３上のＷｅｂサーバ１と、ダイアルアップ接続などの方法によりインターネットサービスプロバイダ（ＩＳＰ）４を介してインターネット３に接続された利用者端末２とから構成されている。利用者端末２は、利用者が情報を所望し、その情報にアクセスするためのメニューが提供される対象物５を撮影する機能を備えている。
【００３７】
Ｗｅｂサーバ１は、汎用のサーバコンピュータなどによって構成され、図２に示すように、ＣＰＵ（Ｃｅｎｔｒａｌ  Ｐｒｏｃｅｓｓｉｎｇ  Ｕｎｉｔ）１１と、メモリ１２と、通信装置１３とを備えている。Ｗｅｂサーバ１には、固定ディスク装置などを物理的記憶媒体とした画像認識データベース１４、メニューデータベース１５及び利用者データベース１６が接続されている。Ｗｅｂサーバ１は、ここではシングルプロセッサシステムとしているが、マルチプロセッサシステムとすることも可能である。
【００３８】
ＣＰＵ１１は、メモリ１２に記憶されたプログラムを実行し、利用者端末２から送られてきた対象物５の画像に基づいてメニューを生成し、このメニューを利用者端末２に返す。ＣＰＵ１１は、内部タイマを有する。メモリ１２は、ＣＰＵ１１が実行するプログラムを記憶すると共に、プログラム実行時のワークエリアとして使用される。通信装置１３は、インターネット３に接続され、利用者端末２からの対象物５の画像を受信すると共に、生成したメニューを利用者端末２に送信する。
【００３９】
画像認識データベース１４は、対象物５の画像を画像認識するための情報を記憶するデータベースである。メニューデータベース１５は、対象物５の画像からメニューを生成するために必要な情報を記憶するデータベースである。メニューデータベース１５については、さらに詳しく後述する。利用者データベース１６は、このメニュー提供サービスの利用者のプロファイル（年齢、性別、職業など）と、利用の履歴を記憶するデータベースである。
【００４０】
図３は、メニューデータベース１５のデータベース構造を示す図である。メニューデータベース１５は、まず、図３（ａ）に示すように、認識した対象物とメニュー型（利用者に提供するメニューの原型となるもの）のＩＤとを対応付けて登録したテーブルを有している。ここで、１つの対象物に対して複数のＩＤが割り付けられている場合もあり、異なる対象物に対して同一のＩＤが割り付けられている場合もある。
【００４１】
メニューデータベース１５は、図３（ｂ）に示すように、メニュー型のＩＤと対応するメニュー型を記憶するアドレスとを対応付けて登録したテーブルを有している。さらに、メニューデータベース１５は、図３（ｃ）に示すように、図３（ｂ）のテーブルに記憶された各アドレスにメニュー型のデータを記憶している。
【００４２】
また、図１に示す利用者端末２は、パーソナルコンピュータやモバイルコンピュータなどによって構成され、図４に示すように、ＣＰＵ２１と、メモリ２２と、入力装置２３と、表示装置２４と、撮像装置２５と、通信装置２６とを備えている。
【００４３】
ＣＰＵ２１は、メモリ２２に記憶されたプログラムを実行し、対象物５の画像の撮影及び送信、Ｗｅｂサーバ１からのメニューの受信及び表示のために必要な処理を行う。ＣＰＵ２１は、また、表示されたメニューに従って、インターネット３上の任意のホームページにアクセスするための処理を行う。メモリ２２は、ＣＰＵ２１のプログラムを記憶すると共に、プログラム実行時のワークエリアとして使用される。
【００４４】
入力装置２３は、利用者が必要な指示を入力するためのもので、キーボードやマウスなどのポインティングデバイスによって構成されている。表示装置２４は、Ｗｅｂサーバ１から送られてきたメニューを表示すると共に、メニューに従ってアクセスしたホームページを表示する。撮像装置２５は、ＣＣＤなどを含み、入力装置２３からの指示に従って、対象物５の画像を撮影する。通信装置２６は、インターネット３に接続され、Ｗｅｂサーバ１に対象物５の画像を送信すると共に、Ｗｅｂサーバ１から送られてきたメニューを受信する。また、通信装置２６は、メニューに従って指示されたホームページにアクセスするための通信処理を行う。
【００４５】
以下、この実施の形態にかかるメニュー提供システムにおける動作について、説明する。図５は、このメニュー提供システムにおける動作を示すフローチャートである。図５において、左側が利用者端末２における動作を、右側がＷｅｂサーバ１における動作を示している。
【００４６】
まず、利用者端末２において、利用者が入力装置２３を操作することにより撮像装置２５から対象物５の画像を撮影する（ステップＳ２１）。撮影した対象物５の画像は、ＣＰＵ２１の制御の下、通信装置２６がインターネット３を介してＷｅｂサーバ１に送信する（ステップＳ２２）。
【００４７】
Ｗｅｂサーバ１では、通信装置１３が対象物５の画像を受信し、これをＣＰＵ１１に渡す（ステップＳ１１）。ＣＰＵ１１は、詳細を後述するように、メニューデータベース１５及び利用者データベース１６を参照し、対象物５に関する情報にアクセスするためのメニューを生成する（ステップＳ１２）。そして、生成したメニュー全体を、通信装置１３がインターネット３を介して利用者端末２に送信する（ステップＳ１３）。これで、Ｗｅｂサーバ１側の処理を終了する。
【００４８】
次に、利用者端末２で通信装置２６がＷｅｂサーバ１から送られてきた画像を受信すると（ステップＳ２３）、ＣＰＵ２１は、このメニュー（複数ページある時は、その第１ページ）を表示装置２４に表示させる（ステップＳ２４）。そして、このフローチャートの処理を終了する。その後、利用者端末２の利用者は、入力装置２３を操作することにより、メニュー中の所望の項目を選択していくことによって、インターネット３上で提供されている対象物５に関する所望の情報（ホームページ）にアクセスすることができるようになる。
【００４９】
次に、ステップＳ１２におけるメニュー生成処理について、図６のフローチャートを参照して詳しく説明する。まず、ＣＰＵ１１は、画像認識データベース１４を参照し、ステップＳ１１で受信した対象物５の画像を画像認識する（ステップＳ１０１）。
【００５０】
画像認識の結果、対象物を特定できるかどうかを判定する（ステップＳ１０２）。ここで、対象物を特定できる場合とは、完全に１つの物に特定できる場合だけでなく、２つ以上の候補があった場合も含む。例えば、本来はボールペンの画像であるが、ボールペンかシャープペンシルのいずれかと特定される場合も対象物を特定できる場合として含む。
【００５１】
ステップＳ１０２で対象物を特定できなかったと判定した場合には、ＣＰＵ１１は、所定のエラーメッセージを用意する（ステップＳ１０３）。そして、このフローチャートの処理を終了し、図５の処理に復帰する。なお、用意したエラーメッセージは、ステップＳ１３、Ｓ２３及びＳ２４において、メニューと同様に取り扱われるものとなり、メニューの代わりにこのエラーメッセージが利用者端末２に表示されることとなる。
【００５２】
一方、ステップＳ１０２で対象物を特定できたと判定した場合には、ＣＰＵ１１は、メニューデータベース１５を参照し、特定した対象物に対応付けて登録されているメニュー型のＩＤを取り出す（ステップＳ１０４）。ここで、特定した対象物に対応付けられているＩＤが２つ以上ある場合には、全てのＩＤを取り出す。また、画像認識の結果から特定した対象物が２つ以上あった場合には、それぞれの対象物について、対応するＩＤを取り出す。
【００５３】
次に、ＣＰＵ１１は、メニューデータベース１５を参照し、取り出したＩＤに対応するメニュー型が登録されているかどうかを判定する（ステップＳ１０５）。ここで、取り出したＩＤが２つ以上あった場合に、そのうちの１つにでも対応するメニュー型があれば、メニュー型が登録されているという判定結果を得ることとなる。
【００５４】
ＩＤに対応するメニュー型が登録されていると判定した場合には、ＣＰＵ１１は、取り出した各ＩＤに対応するメニュー型をメニューデータベース１５から取り出す（ステップＳ１０６）。さらに、ＣＰＵ１１は、利用者データベース１６から、画像を送ってきた利用者端末２の利用者のプロファイルと、利用の履歴とを取り出す（ステップＳ１０７）。ＣＰＵ１１は、また、内部タイマが計時している時間情報（時刻、曜日など）を取り出す（ステップＳ１０８）。
【００５５】
そして、ＣＰＵ１１は、ステップＳ１０７、Ｓ１０８で取り出した利用者のプロファイル、利用の履歴、時間情報に基づいて、ステップＳ１０６で取り出したメニュー型をカスタマイズし、利用者端末２に返送すべきメニューを生成する（ステップＳ１０９）。その後、後述するステップＳ１１５の処理に進む。
【００５６】
一方、ステップＳ１０５において、ＩＤに対応するメニュー型が登録されていないと判定した場合には、ＣＰＵ１１は、ステップＳ１０１における画像の認識結果に基づいて、検索キーワードを決定する（ステップＳ１１０）。この検索キーワードは、２つ以上であってもよく、その場合には、ＡＮＤやＯＲなどの条件式が立てられる。
【００５７】
次に、ＣＰＵ１１は、サーチエンジンを起動し、ステップＳ１１０で決定した検索キーワードを用いて検索を行う（ステップＳ１１１）。なお、このサーチエンジンは、Ｗｅｂサーバ１内に含まれるものであってもよく、インターネット３上の他のサイトにあるサーチエンジンを利用するものであってもよい。
【００５８】
さらに、ＣＰＵ１１は、利用者データベース１６から、画像を送ってきた利用者端末２の利用者のプロファイルと、利用の履歴とを取り出す（ステップＳ１１２）。ＣＰＵ１１は、また、内部タイマが計時している時間情報（時刻、曜日など）を取り出す（ステップＳ１１３）。
【００５９】
そして、ＣＰＵ１１は、ステップＳ１１２、Ｓ１１３で取り出した利用者のプロファイル、利用の履歴、時間情報に基づいて、ステップＳ１１１で得られた検索結果から利用者に有用であると思われるホームページのＵＲＬを選択し、これらをグループ分けして、利用者端末２に返送すべきメニューを生成する（ステップＳ１１４）。その後、ステップＳ１１５の処理に進む。
【００６０】
ステップＳ１１５では、ＣＰＵ１１は、ステップＳ１０９またはＳ１１４で生成したメニューを、当該利用者の利用の履歴として利用者データベース１６に記憶させる。そして、このフローチャートの処理を終了し、図５の処理に復帰する。こうしてステップＳ１０９またはＳ１１４で生成されたメニューが利用者端末２に表示されることとなる。
【００６１】
以下、この実施の形態にかかるメニュー提供システムにおいて、利用者端末２で対象物５の画像を撮影してから、対象物５に対するメニューをＷｅｂサーバ１から提供されるまでの動作について、図７を参照し、具体的な例を示して説明する。
【００６２】
図の左上に示すように、対象物５として、シャープペンシルがあったとする。利用者は、対象物５であるシャープペンシルに関する情報が欲しい場合には、まず、利用者端末２の撮像装置２５によって、このシャープペンシルの画像を撮影する…▲１▼。そして、撮影した画像をインターネット３を介してＷｅｂサーバ１に送信する…▲２▼。
【００６３】
Ｗｅｂサーバ１では、画像認識データベース１４を参照して、利用者端末２から送られてきた画像を画像認識する…▲３▼。ここでは、その画像がシャープペンシルを示すものであると完全に特定はできなかったが、シャープペンシルかボールペンのいずれかであると認識できたものとする。
【００６４】
次に、Ｗｅｂサーバ１では、メニューデータベース１５を参照して、対象物−−シャープペンシル及びボールペン−−に対応付けられているＩＤを抽出する…▲４▼。ここで、シャープペンシルに対してＡとＣとが、ボールペンに対応してＢとＣが、アドレスとして対応付けられてメニューデータベース１５に記憶されていたとすると、ＩＤとしてＡ、Ｂ及びＣの３つが抽出される。メニューデータベース１５を参照して、ＩＤ−−Ａ、Ｂ及びＣ−−にそれぞれ対応付けられている３つのメニュー型（メニュー型についても、Ａ、Ｂ及びＣと呼ぶ）を抽出する…▲５▼。
【００６５】
次に、Ｗｅｂサーバ１では、利用者データベース１６とＣＰＵ１１の内部タイマとを参照し、抽出された３つのメニュー型に基づいて、利用者端末２に返送すべきメニューを生成する…▲６▼。ここでは、まず、メニュー型が３つあったので、Ａ、Ｂ及びＣの３つの選択項目を有するメニューの１ページ目（最上位階層）を用意し、この１ページ目の各項目からそれぞれのメニュー型に対してリンクを貼る。
【００６６】
さらに、メニュー型に含んでいたＵＲＬのうち、利用者データベース１６にある利用者のプロファイル及び利用の履歴並びに現在の時刻及び曜日から利用者にとって不要と思われる情報のＵＲＬを削除する。さらに、残ったＵＲＬを、利用者データベース１６にある利用者のプロファイル及び利用の履歴並びに現在の時刻及び曜日から利用者にとって有用性が高いと思われる順番に並び替える。これで、利用者端末２に返送すべきメニューが生成される。
【００６７】
Ｗｅｂサーバ１は、こうして作成されたメニューをインターネット３を介して利用者端末２に返送する…▲７▼。利用者端末２では、Ｗｅｂサーバ１からのメニューを表示装置２４に表示する…▲８▼。これで、利用者端末２の利用者は、表示されたメニューに従って入力装置２３を操作し、項目を選択していくことで、インターネット３上に存在する所望のホームページにアクセスできるようになる。
【００６８】
以下、Ｗｅｂサーバ１から利用者端末２に提供されるメニューの例を、図８を参照して説明する。なお、この例で示すメニューでは、画像認識の結果で特定された対象物がシャープペンシルとボールペンであることは上記のメニュー生成手順の例と同じであるが、抽出されるＩＤ、メニュー型などは上記と異なるものとしていることに留意されたい。
【００６９】
図８（ａ）に示すように、このメニューの１ページ目（最上位階層）は、Ｗｅｂサーバ１での画像認識の結果として特定した対象物である「シャープペンシル」と「ボールペン」とで、利用者がいずれの対象物を意図し、情報を得たいかを選択するできるように構成される。それぞれの対象物の項目は、２ページ目（次の階層）にリンクが貼られており、入力装置２３でいずれかの項目を選択することで、それぞれの対象物に対応した２ページ目にジャンプすることができる。
【００７０】
１ページ目で「シャープペンシル」を選択したとすると、図８（ｂ）に示すように、シャープペンシルに関してどのような情報が欲しいのかを選択するためのページが、メニューの２ページ目として現れる。ここでは、選択する項目として、「製品情報」、「製造企業」、「購入」及び「筆記具」の項目がある。例えば、この項目の１つ１つがメニューデータベース１５に記憶されているメニュー型に対応するものとすることができ、「筆記具」の項目は、１ページ目で「ボールペン」を選択した場合にも現れる項目である（上記した異なる対象物でＩＤが一致する場合に該当する）。
【００７１】
また、２ページ目における各項目は、３ページ目（さらに次の階層）にリンクが貼られており、入力装置２３でいずれかの項目を選択することでそれぞれの項目に対応した３ページ目にジャンプすることができる。
【００７２】
２ページ目で「購入」を選択したとすると、図８（ｃ）に示すように、シャープペンシルの購入方法別に、そのための情報を得るためのページが、メニューの３ページ目として現れる。購入方法の別として、オンライン販売での購入とシャープペンシルの販売店とがある。なお、この３ページ目は、メニューの最下層に当たる。
【００７３】
３ページ目は、インターネット３上のホームページへリンクが貼られたものとなっており、例えば、「販売店」を購入方法としたものは、図８（ｄ）に示すように、インターネット３上でのホームページを示す情報が現れる。最初に現れるのは、メニューのカスタマイズによって利用者にとって最も優先順位が高いとされたホームページに関する情報であり、右側の▽（または△）の印の部分を入力装置２３で指示することによって、次に優先順位の高い（低い）ホームページに関する情報を表示装置２４に表示させることができる。
【００７４】
また、図８（ｄ）の「詳細情報」の部分を入力装置２３で指示することによって、当該ホームページがどのようなものであるかを、例えばポップアップウィンドウなどに表示させることができる。また、「ＵＲＬ：ＷＷＷ．…」の部分を入力装置２３で指示することによって、ここからリンクの貼られたインターネット３上のホームページにアクセスすることができる。
【００７５】
以上説明したように、この実施の形態にかかるメニュー提供システムでは、利用者端末２の利用者は、対象物５の画像を撮影してＷｅｂサーバ１に送れば、Ｗｅｂサーバ１から、メニューが提供される。そして、このメニューに従って、インターネット上のホームページにアクセスすることができる。このため、キーボード操作が必要なく、誰でも簡単に対象物５に関するインターネット上の所望の情報を取り出すことができるようになる。
【００７６】
また、Ｗｅｂサーバ１は、メニューデータベース１５を備え、対象物と関連付けたメニュー型を用意している。特定した対象物に関連づけられたメニュー型がある場合には、利用者端末２に提供するメニューを迅速に作成できる。一方、特定した対象物に関連付けられたメニュー型がなくても、キーワードによる検索式を生成し、サーチエンジンから関連する情報を提供するホームページのＵＲＬを取得しているため、対象物を特定できる限りメニューを提供することができる。
【００７７】
また、Ｗｅｂサーバ１は、利用者データベース１６を備え、ここに登録された利用者のプロファイルと利用の履歴とに従って、利用者端末２に提供するメニューを作成している。このため、提供されたメニューでは、対象物５に関する情報を提供するホームページのうちで利用者を誘導するホームページの数を、適切な数に絞ることができる。しかも、このメニューを利用することで、利用者が最も必要とするであろう情報を提供するホームページに行き着きやすくなる。
【００７８】
さらに、利用者は、情報が必要となった段階でその対象物５を撮像装置２５によって撮影すればよく、実際に情報が必要となるまで自分で管理すべきものは何もなくてよい。さらに、ホームページを開設して情報を提供する側にとっても、その情報を必要とする利用者を自己のホームページに適切に誘導することができるので、雑誌や新聞への掲載などのアドレスを広く知らしめるような行為をあまり行わなくても済むようになる。
【００７９】
本発明は、上記の実施の形態に限られず、種々の変形、応用が可能である。以下、本発明に適用可能な上記の実施の形態の変形態様について説明する。
【００８０】
上記の実施の形態では、利用者端末２が備える撮像装置２５で対象物５の画像を撮影していた。これに対して、利用者端末２は、このような撮像装置を備えないパーソナルコンピュータなどであってもよいが、この場合には、デジタルスチルカメラなどで撮影した画像を取り込み、取り込んだ画像を利用者端末２からＷｅｂサーバ１に送信するものとしてもよい。
【００８１】
上記の実施の形態では、Ｗｅｂサーバ１から利用者端末２にメニューを送信する際（ステップＳ１３）に、そのメニュー全体を送信するものとしていた。これに対して、複数ページで構成されるメニューの場合には、Ｗｅｂサーバ１は、最初にその１ページ目（最上位階層のページ）だけを利用者端末２に送信するものとし、下位の階層のページは、メニューに従って利用者端末２から要求が送られてくる都度、Ｗｅｂサーバ１から送信するものとしてもよい。
【００８２】
上記の実施の形態では、Ｗｅｂサーバ１での画像の認識結果から対象物５を１つの対象物に絞れないときは、候補となる対象物のそれぞれに対応したＩＤをメニューデータベース１５から取り出していた。そして、各ＩＤからメニュー型を取り出し、利用者端末２に送信すべきメニューを生成していた。これに対して、候補となる対象物を１つに絞りきれないときは、最初に各候補について利用者端末２に送信し、利用者によって選択させるものとしてもよい。
【００８３】
上記の実施の形態では、利用者端末２は、対象物５そのものの画像を撮影し、Ｗｅｂサーバ１に送るものとしていた。しかしながら、対象物５の一部の画像、特に対象物５を特定しやすい部分（バーコードなど）の画像を撮影し、Ｗｅｂサーバ１に送ってもよい。このような場合、対象物５のカテゴリー（上記したシャープペンシル、ボールペンなど）だけでなく、特定の製品（××社の品番××の製品）のレベルにまで特定できる（但し、対象物５そのものの画像でも、場合によっては可能）。さらに、対象物５について複数の画像（例えば、全体とバーコードの部分）を撮影し、撮影した全ての画像を利用者端末２からＷｅｂサーバ１に送るものとしてもよい。これにより、Ｗｅｂサーバ１では、対象物の特定がより容易になる。
【００８４】
この場合、画像認識の結果として、そのカテゴリー名と製品名との両方を対象物として特定すればよい。また、メニューデータベース１５も、カテゴリー名にＩＤを対応付けて記憶させておくと共に、製品名にもＩＤを対応付けて記憶させておくものとすればよい。そして、例えば、生成するメニューの１ページ目で、撮影した対象物５をそのカテゴリーのものとして捉えるか、特定の製品として捉えるかを選択できるようにすればよい。
【００８５】
上記の実施の形態では、利用者端末２で撮影した対象物５に対するメニューは、インターネット３を介して接続されたＷｅｂサーバ１から提供されるものとしていた。これに対して、利用者端末２をインターネット３に接続するＩＳＰ４のサーバ装置に上記したＷｅｂサーバ１の機能を持たせ、ＩＳＰ４のサーバ装置がメニューを生成して利用者端末２に提供するものとしてもよい。
【００８６】
また、利用者端末２で対象物５の画像を撮影するのではなく、例えば電車の中吊り広告や出版物に掲載されたＵＲＬを撮影し、ＩＳＰ４のサーバ装置に送信するものとしてもよい。この場合、ＩＳＰ４のサーバ装置は、送られてきたＵＲＬの画像に基づいて文字認識し、認識したＵＲＬが示すホームページにジャンプしてアクセスするようにしてもよい。
【００８７】
また、利用者端末２は、出版物に掲載された記事を撮影してＷｅｂサーバ１（またはＩＳＰ４のサーバ装置：この段落及び次段落において、同じ）に送信してもよい。この場合、Ｗｅｂサーバ１は、送られてきた記事を文字認識し、さらにこれを自然言語解析して、その解析結果に基づいてメニューを生成することができる。また、画像を送信するのではなく、電子ブックに掲載された記事の一部をテキスト情報としてＷｅｂサーバ１に送信してもよい。この場合も、Ｗｅｂサーバ１は、送られてきたテキスト情報を自然言語解析して、その解析結果に基づいてメニューを生成することができる。さらに、Ｗｅｂサーバ１は、送られてきた記事を文字認識し、これを読み上げた音声データを再生するためのメニューを追加してもよい。
【００８８】
さらに、利用者端末２は、ＧＰＳなどによって特定される位置情報をＷｅｂサーバ１に送信してもよい。この場合、Ｗｅｂサーバ１は、送られてきた位置情報に基づいてメニューを生成することができる。例えば、位置情報から利用者が渋谷にいると認識できた場合には、メニュー型をカスタマイズし、或いはサーチ結果を選択することにより、渋谷にある店舗の情報や渋谷駅の時刻表などを選択するメニューを生成することができる。また、位置情報は、利用者端末２から送られてくるのではなく、携帯電話機の基地局などに従って特定してもよい。
【００８９】
あるいは、特定の場所（例えば、駅のホームなど）に特有の目印を提示しておき、利用者端末２においてその目印を撮影し、Ｗｅｂサーバ１へ送るものとしてもよい。この場合、利用者のいる位置がより詳細に認識できる。これにより、Ｗｅｂサーバ１は、例えば、地下鉄の××駅の○○線上りホームであると特定できれば、その路線の上り線の時刻表や、沿線の情報などを選択するメニューを提供することができる。また、利用者が××通りの東側にいると特定できれば、近くのバス停を示す地図や、タクシーの配車を要求するためのメニューなどを提供することができる。
【００９０】
あるいは、病院や薬局で患者に渡す薬（または薬袋）に特定の目印を付加してもよい。この場合、薬を受け取った患者は、この目印と診察券に付された患者ＩＤをＷｅｂサーバ１に送ることにより、Ｗｅｂサーバ１からこの薬に関するメニューが提供される。そして、このメニューに従って、薬の飲み方や賞味期限、飲み合わせの悪い大衆薬などの情報を引き出すことができるようにしてもよい。
【００９１】
上記の実施の形態では、利用者端末２からＷｅｂサーバ１には、１つの対象物の画像を送るものとしていた。これに対して、利用者端末２で複数の対象物の画像を撮影し、これをＷｅｂサーバ１に送ってもよい。この場合、Ｗｅｂサーバ１は、複数の対象物に応じたメニューを提供するものとすることができる。例えば、にんじんとタマネギとジャガイモの画像が送られてきた場合には、Ｗｅｂサーバ１は、これを材料とするカレー、シチュー、肉じゃが等に関する情報を選択するためのメニューを生成してもよい。また、新型のゲーム機の画像とゲームソフト（旧型のゲーム機のバージョン）の画像とが送られれてきた場合には、Ｗｅｂサーバ１は、新型のゲーム機のバージョンの当該ゲームソフトに関する情報を選択するためのメニューを生成してもよい。さらに、公共料金の振込取扱表の画像とクレジットカードまたは銀行のキャッシュカードの画像とが送られてきた場合には、オンラインバンキング、振込ページを選択するためのメニューを生成してもよい。
【００９２】
このように、複数の対象物の画像が送られてきた場合には、Ｗｅｂサーバ１は、画像の認識結果から、ＡＮＤ条件やＯＲ条件などの条件式を生成し、この条件式に当てはまるメニューを生成することができる。この場合、複数の条件式を生成し、それぞれの条件式に基づいてメニューを生成するものとしてもよい。例えば、音楽ＣＤとイベントホールの画像が送られてきた場合には、（１）…（音楽一般）ＡＮＤ（当該イベントホール）、（２）…（当該ＣＤの歌手）ＡＮＤ（イベントホール一般）というような複数の条件式を生成することができる。ここで、前者の条件式から当該イベントホールで行われる音楽コンサートに関する情報を選択するためのメニューを、後者の条件式から当該歌手のコンサートに関する情報を選択するためのメニューを生成することができ、これら２つのメニューを統合したメニュー（第１ページでいずれかを選択するもの）を生成することができる。
【００９３】
上記の実施の形態では、Ｗｅｂサーバ１から利用者端末２には、対象物５に関して生成したメニューを提供するのみであった。これに対して、例えば提供するメニューの中に「音楽を視聴する」、「説明文を読む」といった項目がある場合には、Ｗｅｂサーバ１は、利用者端末２において音楽を視聴するためのプログラム、或いは説明文を読むためのプログラムを、通信装置１３からインターネット３を介して利用者端末２に送信できるようにしてもよい。
【００９４】
上記の実施の形態では、利用者端末２で撮影した対象物５の画像を基に、当該対象物５が何であるかを認識するものとしていた。しかしながら、対象物５を認識するための方法はこれに限られない。例えば、Ｂｌｕｅｔｏｏｔｈモジュールが対象物５に埋め込まれている場合には、利用者端末２は、対象物５（実際には、チップ）と無線通信を行い、当該対象物５に付されたオブジェクトＩＤを取得するものとしてもよい。この場合、利用者端末２からＷｅｂサーバ１に対象物５から取得したオブジェクトＩＤを送信し、Ｗｅｂサーバ１では、利用者端末２から受信したオブジェクトＩＤに基づいて、対象物を認識するものとすることができる。
【００９５】
また、このように対象物５にＢｌｕｅｔｏｏｔｈモジュールが埋め込まれている場合において、利用者端末２が当該対象物５からオブジェクトＩＤに加えてその内部状態に関する情報を取得する者としてもよい。利用者端末２は、取得したオブジェクトＩＤと共に内部状態に関する情報もＷｅｂサーバ１に送信する。Ｗｅｂサーバ１は、利用者端末２から受信したオブジェクトＩＤに基づいて、特定の状態にある対象物を認識することができ、特定の状態にある対象物に関するメニューを生成するものとすることができる。
【００９６】
上記の実施の形態では、Ｗｅｂサーバ１のＣＰＵ１１が実行するプログラム（図５、図６）は、メモリ１２に既に記憶されているものとして説明した。しかしながら、このようなプログラムのみを別途提供し、インターネット３上の任意のＷｅｂサーバから上記機能を有するＷｅｂサーバ１を構築することができる。図９は、メモリ１２に記憶されるプログラムの提供方法の例を示す図である。
【００９７】
図９（ａ）に示すように、ＣＤ−ＲＯＭ、ＤＶＤなどの記録媒体１８にプログラムを記録しておき、Ｗｅｂサーバ１が有する媒体駆動装置１７によって記録媒体１８からプログラムを読み取って、メモリ１２に記憶させるものとしてもよい。また、図９（ｂ）に示すように、インターネット３に接続された管理者端末６がこのプログラムを搬送波に重畳した信号をＷｅｂサーバ１に送信し、通信装置１３が受信したプログラムをメモリ１２に記憶させるものとしてもよい。この他にも、様々な方法でこのようなプログラムを提供することができる。
【００９８】
【発明の効果】
以上説明したように、本発明によれば、誰でも簡単な操作によって、インターネット上のホームページから対象物に関する所望の情報を取り出すことができる。
【図面の簡単な説明】
【図１】本発明の実施の形態にかかるメニュー提供システムの構成を示す図である。
【図２】図１のＷｅｂサーバの構成を示すブロック図である。
【図３】図２のメニューデータベースのデータベース構造を示す図である。
【図４】図１の利用者端末の構成を示すブロック図である。
【図５】図１のメニュー提供システムにおける動作を示すフローチャートである。
【図６】図５のメニュー生成処理を詳細に示すフローチャートである。
【図７】図１のメニュー提供システムにおける動作の流れを、具体的に示す説明図である。
【図８】図１のメニュー提供システムで提供されるメニューの例を示す図である。
【図９】図２のＷｅｂサーバのメモリに記憶されるプログラムの提供方法を示す図である。
【符号の説明】
１  Ｗｅｂサーバ
２  利用者端末
３  インターネット
４  インターネットサービスプロバイダ（ＩＳＰ）
５  対象物
６  管理者端末
１１  ＣＰＵ
１２  メモリ
１３  通信装置
１４  画像認識データベース
１５  メニューデータベース
１６  利用者データベース
１７  媒体駆動装置
１８  記録媒体
２１  ＣＰＵ
２２  メモリ
２３  入力装置
２４  表示装置
２５  撮像装置
２６  通信装置
【図１】
0003602455.tif 000002
【図２】
0003602455.tif 000003
【図３】
0003602455.tif 000004
【図４】
0003602455.tif 000005
【図５】
0003602455.tif 000006
【図６】
0003602455.tif 000007
【図７】
0003602455.tif 000008
【図８】
0003602455.tif 000009
【図９】
0003602455.tif 000010